(57)【要約】【課題】用紙サイズミスマッチが発生したときに、ユーザーが設定した用紙サイズと異なる用紙サイズの用紙に印刷されることによる用紙の無駄を削減できる画像形成装置。【解決手段】用紙サイズミスマッチ設定画面１００において、ユーザーが用紙サイズミスマッチのエラーを無視して印刷処理を継続するときには「用紙サイズミスマッチ発生時の動作設定」エリア１１０の「エラー無視」エリア１１０ａを選択する。「エラー無視」エリア１１０ａが選択されているときにおいて、用紙サイズミスマッチが発生したときの用紙の給紙先を給紙カセット４とするときには「用紙サイズミスマッチ発生時の給紙設定」エリア１２０の「給紙カセット４」エリア１２０ｄを選択する。この給紙カセット４に裏紙や安価な用紙を収納しておくことで、通常の用紙が印刷されることによる用紙の無駄を防止し、また他のユーザーが画像形成装置を引き続き使用することができる。【選択図】図４
2015138249.tif 000002
【特許請求の範囲】
【請求項１】
複数の給紙先を有する画像形成装置であって、
用紙サイズを設定する用紙サイズ設定手段と、
前記給紙先から搬送される実際の用紙サイズを検知する用紙サイズ検知手段と、
前記用紙サイズ設定手段と前記用紙サイズ検知手段の前記用紙サイズを比較する用紙サイズ比較手段と
を備え、
前記用紙サイズ比較手段により前記用紙サイズが異なると判定されたときに、選択された他の給紙先から用紙を取り出すことを特徴とする画像形成装置。
【請求項２】
印刷処理継続または印刷処理中止のいずれかを選択する印刷処理選択手段を備え、
前記用紙サイズ比較手段により前記用紙サイズが異なると判定され、前記印刷処理選択手段により前記印刷処理継続が選択されているときに、選択された前記他の給紙先から前記用紙を取り出すことを特徴とする請求項１に記載の画像形成装置。
【請求項３】
前記用紙サイズの用紙が前記給紙先に収納されているかを検知する用紙検知手段を備え、
前記給紙先に前記用紙サイズの用紙が収納されていないときに、選択された前記他の給紙先から前記用紙を取り出すことを特徴とする請求項１または請求項２に記載の画像形成装置。
【請求項４】
前記他の給紙先を選択できる他の給紙先選択手段を備えることを特徴とする請求項１から請求項３のいずれか１項に記載の画像形成装置。
【請求項５】
前記用紙が取り出される前記給紙先及び前記他の給紙先は、複数の給紙カセットと手差しトレイであることを特徴とする請求項１から請求項４のいずれか１項に記載の画像形成装置。
【発明の詳細な説明】
【技術分野】
【０００１】
本発明は、ユーザーが設定した用紙サイズと異なるサイズの用紙が給紙カセットから搬送されたとき（以下、「用紙サイズミスマッチ」という）における画像形成装置の印刷処理に関する。
【背景技術】
【０００２】
プリンター、多機能プリンター、多機能周辺装置、又は複合機（Multifunction Peripheral、MFP）である画像形成装置は、給紙カセットから用紙を搬送し、感光体上に形成された原稿の静電潜像を現像装置から供給されるトナーによって現像して、このトナー像を転写した用紙を画像形成装置から排出する。このような画像形成装置においてユーザーが印刷を行うときには、印刷用紙のサイズ（以下、「用紙サイズ」という）及び印刷用紙が収納されている給紙カセットを設定してから印刷処理を実行する。また、画像形成装置は給紙カセットに収納されている用紙サイズを自動的に検知する機構により検出し、ユーザーが設定した用紙サイズと異なる印刷用紙が給紙カセットから搬送されたときには、印刷用紙を節約するために印刷処理の実行を停止することができるようにしている。例えば、特許文献１の画像形成装置では、用紙サイズミスマッチが発生したときに画像形成装置が処理を継続するか停止するかを予めユーザーが設定し、ユーザーが設定した用紙サイズと異なる印刷用紙が給紙カセットから搬送されたときに、ユーザーの設定に応じて印刷処理の継続、または印刷処理の停止が選択できるようにしている。
【先行技術文献】
【特許文献】
【０００３】
【特許文献１】特開２００３−９５４８２号公報
【発明の概要】
【発明が解決しようとする課題】
【０００４】
しかし、特許文献１の画像形成装置では、用紙サイズミスマッチが発生したときに印刷処理を継続するか停止するかを予めユーザーが設定することができるが、印刷処理を継続するとユーザーが設定した用紙サイズと異なる印刷用紙に印刷される。つまり、画像形成装置が印刷処理を継続すると他のユーザーは画像形成装置を引き続き使用することができるが、ユーザーが設定した印刷用紙と異なる用紙サイズの印刷用紙に印刷されるため印刷用紙が無駄になるという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、複数の給紙先を有する画像形成装置であって、用紙サイズを設定する用紙サイズ設定手段と、前記給紙先から搬送される実際の用紙サイズを検知する用紙サイズ検知手段と、前記用紙サイズ設定手段と前記用紙サイズ検知手段の前記用紙サイズを比較する用紙サイズ比較手段とを備え、前記用紙サイズ比較手段により前記用紙サイズが異なると判定されたときに、選択された他の給紙先から用紙を取り出すことを特徴としている。
また、本発明の画像形成装置は、印刷処理継続または印刷処理中止のいずれかを選択する印刷処理選択手段を備え、前記用紙サイズ比較手段により前記用紙サイズが異なると判定され、前記印刷処理選択手段により前記印刷処理継続が選択されているときに、選択された前記他の給紙先から前記用紙を取り出すことを特徴としている。
また、本発明の画像形成装置は、前記用紙サイズの用紙が前記給紙先に収納されているかを検知する用紙検知手段を備え、前記給紙先に前記用紙サイズの用紙が収納されていないときに、選択された前記他の給紙先から前記用紙を取り出すことを特徴としている。
また、本発明の画像形成装置は、前記他の給紙先を選択できる他の給紙先選択手段を備えることを特徴としている。
また、本発明の画像形成装置は、前記用紙が取り出される前記給紙先及び前記他の給紙先は、複数の給紙カセットと手差しトレイであることを特徴としている。
【発明の効果】
【０００７】
本発明の画像形成装置は、用紙サイズミスマッチが発生したときに、印刷処理を継続することで他のユーザーが画像形成装置を引き続き使用することができ、またユーザーが設定した用紙サイズと異なる用紙サイズに印刷されることによる印刷用紙の無駄を削減できる。
【図面の簡単な説明】
【０００８】
【図１】本発明の実施形態に係る画像形成装置の外観斜視図である。
【図２】本発明の実施形態に係る画像形成装置の内部構成を示す断面概略図である。
【図３】本発明の実施形態に係る画像形成装置の概略機能構成を示すブロック図である。
【図４】本発明の実施形態に係る用紙サイズミスマッチが発生したときの動作または給紙先を設定する用紙サイズミスマッチ設定画面のフォーマットである。
【図５】本発明の実施形態に係る用紙サイズミスマッチの検出と印刷処理の制御を行う印刷制御処理のフローチャートである。
【発明を実施するための形態】
【０００９】
以下、本発明を実施するための形態（以下、「実施形態」という）を、図面を参照して説明する。実施形態の画像形成装置１は、プリンター、多機能プリンター、多機能周辺装置、又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。また、本体部４には手差しトレイ４０を備え、この手差しトレイ４０を外側に開き、開いた手差しトレイ４０の上に用紙をセットする。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態、画像形成状況や印刷部数の表示、または各種設定画面の表示、またタッチパネルとして、用紙サイズ、印刷用紙を供給する給紙先、両面印刷、白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１１】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１２】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１３】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１４】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１５】
本体部４は、記録部６を備えると共に、給紙部４１と、給紙ローラー４２と、用紙搬送路４３と、搬送ローラー４４と、排出ローラー４５とを備えている。給紙部４１は、複数枚の用紙Ｐ（実施形態においては用紙Ｐであるので、以降「用紙Ｐ」という）が収納される給紙カセットであり、給紙ローラー４２は、給紙部４１から用紙Ｐを１枚ずつ用紙搬送路４３に繰り出す。なお、図１及び図２においては、画像形成装置１は１つの給紙カセットについて図示しているが、実際には複数の給紙カセットを備えることができる。給紙ローラー４２によって用紙搬送路４３に繰り出された用紙Ｐは、搬送ローラー４４によって記録部６に搬送される。給紙部４１または手差しトレイ４０から供給される用紙Ｐの先端と原稿から読み取った画像の先端を合わせるように用紙Ｐを搬送ローラー４４が搬送するときに、用紙Ｐのサイズ検出センサー（不図示）が用紙Ｐに接触する時間により用紙Ｐのサイズを検知する。そして、記録部６によって記録が施された用紙Ｐは、排出ローラー４５によって、原稿読取部２と本体部４との間に形成された排出空間４６に排出される。このように、給紙ローラー４２、搬送ローラー４４及び排出ローラー４５は、用紙Ｐの搬送部として機能する。なお、手差しトレイ４０にセットされる用紙Ｐの搬送部については、図示していないが、手差しトレイ４０の給紙ローラーは、手差しトレイ４０から用紙Ｐを１枚ずつ給紙部４１と同様に用紙搬送路４３に繰り出す。
【００１６】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を用紙Ｐに転写させる。定着部６６は、転写部６５によってトナー像が転写された用紙Ｐを加熱してトナー像を用紙Ｐに定着させる。そして感光体ドラム６１上に残存するトナーは、クリーニング部６７によって除去される。
【００１７】
図３には、画像形成装置１の概略機能構成を示すブロック図が示されている。上述の原稿読取部２、原稿給送部３、搬送部（給紙ローラー４２、搬送ローラー４４、排出ローラー４５）、操作部５、記録部６、記憶部８、及び通信部９は、制御部７に接続され、制御部７によって動作制御される。制御部７は、印刷制御処理部７１と搬送制御処理部７２を備えている。
【００１８】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、印刷処理を実行するときに搬送部を動作させるプリントエンジンの制御、また操作部５から入力された所定の指示情報に応じて装置全体の制御を行う。印刷制御処理部７１は、用紙サイズミスマッチの検出と印刷処理の制御を行う。搬送制御処理部７２は、画像形成装置１の搬送ローラー４４が用紙Ｐを搬送するときに、サイズ検出センサーが検知した用紙Ｐの用紙サイズを保持する。
【００１９】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
【００２０】
通信部９は、ＬＡＮ等のネットワーク１０を介して、ＰＣ（パーソナルコンピュータ）等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２１】
次に、本発明の実施形態に係る用紙サイズミスマッチが発生したときの動作または給紙先を設定する用紙サイズミスマッチ設定画面について、図４を用いて説明する。用紙サイズミスマッチ設定画面１００には、「用紙サイズミスマッチ発生時の動作設定」エリア１１０と「用紙サイズミスマッチ発生時の給紙設定」エリア１２０が設けられている。
「用紙サイズミスマッチ発生時の動作設定」エリア１１０は、用紙サイズミスマッチのエラーが発生したときにエラーを無視して印刷処理を継続するか、エラーを表示して印刷処理を中止するかを設定する。ユーザーがエラーを無視して印刷処理を継続するときには、「用紙サイズミスマッチ発生時の動作設定」エリア１１０の「エラー無視」エリア１１０ａを選択する。ユーザーがエラーを表示して印刷処理を中止するときには、「用紙サイズミスマッチ発生時の動作設定」エリア１１０の「エラー表示」エリア１１０ｂを選択する。
「用紙サイズミスマッチ発生時の給紙設定」エリア１２０は、「用紙サイズミスマッチ発生時の動作設定」エリア１１０において「エラー無視」エリア１１０ａが選択されているとき用紙の給紙先を設定する。ユーザーが用紙サイズミスマッチ発生時の給紙先を給紙カセット１とするときには「用紙サイズミスマッチ発生時の給紙設定」エリア１２０の「給紙カセット１」エリア１２０ａを選択し、給紙先を給紙カセット２とするときには「給紙カセット２」エリア１２０ｂを選択し、給紙先を給紙カセット３とするときには「給紙カセット３」エリア１２０ｃを選択し、給紙先を給紙カセット４とするときには「給紙カセット４」エリア１２０ｄを選択する。
【００２２】
次に、本発明の実施形態に係る用紙サイズミスマッチの検出と印刷処理の制御を行う印刷制御処理について、図５を用いて説明する。
まず、ユーザーが液晶表示部５１のタッチパネルから図４に示す用紙サイズミスマッチ設定画面１００を表示し、「用紙サイズミスマッチ発生時の動作設定」エリア１１０の「エラー無視」エリア１１０ａまたは「エラー表示」エリア１１０ｂのいずれかを選択する。また、ユーザーは、「エラー無視」エリア１１０ａを選択したときには、「用紙サイズミスマッチ発生時の給紙設定」エリア１２０の「給紙カセット１」エリア１２０ａ、「給紙カセット２」エリア１２０ｂ、「給紙カセット３」エリア１２０ｃ、または「給紙カセット４」エリア１２０ｄのいずれかを選択する。このようにユーザーが選択したエリアの情報は、記憶部８に選択情報として保存される。なお、用紙サイズミスマッチ設定画面１００の設定は、ユーザーが印刷処理を実行する度に行うのでなく、例えば画像形成装置１に電源を投入したときに予め設定することも可能である。あるいは、不揮発性メモリに設定しておくことも可能である。
次いで、ユーザーが原稿載置部３１に原稿ＭＳをセットして、液晶表示部５１により用紙サイズ及び給紙先を設定して操作ボタン５２のスタートボタンを押下すると、制御部７により印刷制御処理部７１が起動され、印刷制御処理部７１が印刷制御処理を開始する。以下、図５に示す印刷制御処理のステップ順に説明する。
【００２３】
（ステップＳ１０１）
まず、印刷制御処理部７１は、記憶部８に保存されている「用紙サイズミスマッチ発生時の動作設定」エリア１１０及び「用紙サイズミスマッチ発生時の給紙設定」エリア１２０の選択情報を取り出す。
【００２４】
（ステップＳ１０２）
次いで、印刷制御処理部７１は、ユーザーが液晶表示部５１から設定した用紙サイズ及び給紙先を入力する。
【００２５】
（ステップＳ１０３）
次いで、印刷制御処理部７１は、ステップＳ１０２で入力した給紙先となっている給紙部４１の給紙ローラー４２に給紙指令を出力する。この給紙指令により、給紙ローラー４２は、給紙部４１から用紙Ｐを１枚ずつ用紙搬送路４３に繰り出し、搬送ローラー４４が用紙Ｐを搬送する。
【００２６】
（ステップＳ１０４）
次いで、印刷制御処理部７１は、搬送ローラー４４が用紙Ｐを搬送するときに、サイズ検出センサーが検知した用紙Ｐの用紙サイズを搬送制御処理部７２から入力する。
【００２７】
（ステップＳ１０５）
次いで、印刷制御処理部７１は、ステップＳ１０２で入力した用紙サイズとステップＳ１０４で搬送制御処理部７２から入力した用紙サイズを比較して用紙サイズミスマッチが発生しているかを判定する。用紙サイズミスマッチが発生しているとき(ステップＳ１０５のＹｅｓ)は、ステップＳ１０６に進む。用紙サイズミスマッチが発生していないとき(ステップＳ１０５のＮｏ)は、ステップＳ１０９に進む。
【００２８】
（ステップＳ１０６）
ステップＳ１０５のＹｅｓにおいて、印刷制御処理部７１は、ステップＳ１０１で取り出した選択情報により「用紙サイズミスマッチ発生時の動作設定」エリア１１０において「エラー無視」エリア１１０ａが選択されているかを判定する。「エラー無視」エリア１１０ａが選択されているとき(ステップＳ１０６のＹｅｓ)は、ステップＳ１０７に進む。「エラー無視」エリア１１０ａでなく「エラー表示」エリア１１０ｂが選択されているとき(ステップＳ１０６のＮｏ)は、ステップＳ１０８に進む。
【００２９】
（ステップＳ１０７）
ステップＳ１０６のＹｅｓにおいて、印刷制御処理部７１は、「用紙サイズミスマッチ発生時の給紙設定」エリア１２０において選択された「給紙カセット１」エリア１２０ａ、「給紙カセット２」エリア１２０ｂ、「給紙カセット３」エリア１２０ｃ、または「給紙カセット４」エリア１２０ｄに対応している給紙部４１の給紙ローラー４２に給紙指令を出力し、印刷制御処理を終了する。この給紙指令により、給紙ローラー４２は、給紙部４１から用紙Ｐを１枚ずつ用紙搬送路４３に繰り出し、搬送ローラー４４が用紙Ｐを搬送する。
【００３０】
（ステップＳ１０８）
ステップＳ１０６のＮｏにおいて、印刷制御処理部７１は、印刷処理を中止する指令をプリントエンジンに出力し、印刷制御処理を終了する。
【００３１】
（ステップＳ１０９）
ステップＳ１０５のＮｏにおいて、印刷制御処理部７１は、印刷処理を継続する指令をプリントエンジンに出力し、印刷制御処理を終了する。
【００３２】
以上により、ユーザーが設定した用紙サイズとユーザーが設定した給紙先である給紙部４１の搬送ローラー４４が用紙Ｐを搬送するときにサイズ検出センサーが検知した用紙サイズが異なるときに、用紙サイズミスマッチ設定画面１００の選択情報により、「用紙サイズミスマッチ発生時の動作設定」エリア１１０に「エラー無視」エリア１１０ａが選択されているかを判定する。「エラー無視」エリア１１０ａが選択され、また「用紙サイズミスマッチ発生時の給紙設定」エリア１２０の「給紙カセット１」エリア１２０ａ、「給紙カセット２」エリア１２０ｂ、「給紙カセット３」エリア１２０ｃ、または「給紙カセット４」エリア１２０ｄのいずれかが選択されているときには、選択された「給紙カセット１」エリア１２０ａ、「給紙カセット２」エリア１２０ｂ、「給紙カセット３」エリア１２０ｃ、または「給紙カセット４」エリア１２０ｄに対応している給紙部４１の給紙ローラー４２に給紙指令を出力する。これにより、例えば、「給紙カセット４」エリア１２０ｄが選択され、「給紙カセット４」１２０ｄに対応している給紙部４１の給紙カセットに表面が使用済みで裏面が使用されていない用紙（以下、「裏紙」という）や安価な用紙を収納しておくことで、用紙サイズミスマッチが発生したときに通常の用紙Ｐが印刷されることによる用紙の無駄を削減することができる。また、裏紙や安価な用紙に印刷することで印刷処理を継続するので、他のユーザーは画像形成装置１を引き続き使用することができる。
【００３３】
なお、実施形態においては、ユーザーが液晶表示部５１から給紙先を設定するようにしたが、これに限定されない。例えば、給紙部４１の給紙カセットに収納されている用紙Ｐの用紙サイズを自動的に判別できる機能を画像形成装置１が備えているときには、ユーザーは、液晶表示部５１から給紙先を設定せずに用紙サイズのみを設定する。しかし、このような画像形成装置１においても、ユーザーが設定した用紙サイズの用紙Ｐが収納されている給紙カセットが存在しない、または給紙カセットに用紙Ｐが収納されていないことがある。このような場合においても、用紙サイズミスマッチ設定画面１００から選択された給紙カセットから給紙することで、通常の用紙Ｐが印刷されることによる用紙の無駄を防止し、また他のユーザーは画像形成装置１を引き続き使用することができる。
【００３４】
また、実施形態の用紙サイズミスマッチ設定画面１００の「用紙サイズミスマッチ発生時の給紙設定」エリア１２０において、給紙カセットのみ選択可能としたが、手差しトレイ４０を選択することも可能である。この場合には手差しトレイ４０に裏紙や安価な用紙をセットすることで、手差しトレイ４０が選択されているときに用紙サイズミスマッチが発生したときや、ユーザーが設定した用紙サイズの用紙Ｐを収納している給紙カセットが存在しないときに、手差しトレイ４０にセットされている裏紙や安価な用紙に印刷できる。
【００３５】
また、実施形態においては、ユーザーが液晶表示部５１のタッチパネルを操作して用紙サイズミスマッチ設定画面１００を表示するようにしたが、これに限定されない。例えば、図３に示すＰＣなどの周辺機器１１に画像形成装置１のプリントドライバーを搭載し、ユーザーはプリントドライバーを用いて周辺機器１１の表示パネルに用紙サイズミスマッチ設定画面１００を表示する。そして、ユーザーが「用紙サイズミスマッチ発生時の動作設定」エリア１１０と「用紙サイズミスマッチ発生時の給紙設定」エリア１２０から選択した選択情報を画像形成装置１に送信し、また印刷要求を画像形成装置１に送信することも可能である。
【００３６】
このような本発明の画像形成装置は、用紙サイズミスマッチが発生したときに、印刷処理を継続することで他のユーザーが画像形成装置を引き続き使用することができ、またユーザーが設定した用紙サイズと異なる用紙サイズに印刷されることによる印刷用紙の無駄を削減できる。
【００３７】
以上、具体的な実施の形態により本発明を説明したが、上記実施の形態は本発明の例示であり、この実施の形態に限定されないことは言うまでもない。
【産業上の利用可能性】
【００３８】
本発明は、画像形成装置に好適であるが、画像形成装置に限られるものではなく、用紙を排出または搬送する機器及び処理を備える装置一般に適用できる。
【符号の説明】
【００３９】
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４０・・・・・手差しトレイ
４１・・・・・給紙部
４２・・・・・給紙ローラー
４３・・・・・用紙搬送路
４４・・・・・搬送ローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・印刷制御処理部
７２・・・・・搬送制御処理部
１００・・・・・用紙サイズミスマッチ設定画面
１１０・・・・・「用紙サイズミスマッチ発生時の動作設定」エリア
１１０ａ・・・・「エラー無視」エリア
１１０ｂ・・・・「エラー表示」エリア
１２０・・・・・「用紙サイズミスマッチ発生時の給紙設定」エリア
１２０ａ・・・・「給紙カセット１」エリア
１２０ｂ・・・・「給紙カセット２」エリア
１２０ｃ・・・・「給紙カセット３」エリア
１２０ｄ・・・・「給紙カセット４」エリア
【図１】
2015138249.tif 000003
【図２】
2015138249.tif 000004
【図３】
2015138249.tif 000005
【図４】
2015138249.tif 000006
【図５】
2015138249.tif 000007